【事件の表示】
　平成　９年特許願第２４４２１４号「情報記録再生装置用ランプ及び情報記録再生装置」拒絶査定に対する審判事件〔平成１１年　４月　９日出願公開、特開平１１−　９６７０７、請求項の数（６）〕について、次のとおり審決する。
【結　論】
　原査定を取り消す。
　本願の発明は、特許すべきものとする。
【理　由】
１．手続の経緯・本願発明
　本願は、平成９年９月９日の出願であって、その請求項１乃至６に係る発明は、平成１２年１０月２５日付の手続補正書により補正された明細書及び図面の記載からみて、その特許請求の範囲の請求項1乃至６に記載された事項により特定される次のとおりのものと認る。
「【請求項１】
  回転円盤型情報記録媒体と変換素子を装着したサスペンション・アームと該サスペンション・アームを連結した回動型アクチュエータ・アセンブリとを備える情報記録再生装置に取付け、前記サスペンション・アームの先端部を摺動可能に接触させて前記サスペンション・アームを退避させるランプであって、
　支持部と、
  退避面を有し前記支持部から突き出た摺動部と、
  前記退避面と前記情報記録再生装置のハウジングの内面との間に配置し回動方向と垂直な方向での前記サスペンション・アームの振動の振幅を制限し、それによって前記サスペンション・アームと前記ハウジングの内面との衝突を防止する振動制限部と
  を備えるランプ。
【請求項２】
　前記摺動部がさらに前記情報記録媒体を含む平面に対して前記退避面と面対称に設けた他の退避面を備え、前記ランプがさらに該他の退避面と前記情報記録再生装置のハウジングの他の内面との間に配置し回動方向と垂直な方向での前記サスペンション・アームの振動の振幅を制限する他の振動制限部を備える請求項１記載のランプ。
【請求項３】
  前記振動制限部及び前記他の振動制限部が前記支持部から突き出ており、前記支持部、前記摺動部、前記振動制限部、及び前記他の振動制限部を一体成型した請求項２記載のランプ。
【請求項４】
  積層した第１及び第２の回転円盤型情報記録媒体と変換素子を装着したサスペンション・アームと該サスペンション・アームに連結した回動型アクチュエータ・アセンブリとを備える情報記録再生装置に取付け、前記サスペンション・アームの先端部を摺動可能に接触させて前記サスペンション・アームを退避させるランプであって、
　支持部と、
  第１の退避面と、前記第１の情報記録媒体を含む平面に対して該第１の退避面と面対称に設けた第２の退避面とを有し前記支持部から突き出た第１の摺動部と、
  第３の退避面と、前記第２の情報記録媒体を含む平面に対して該第３の退避面と面対称に設けた第４の退避面とを有し前記支持部から突き出た第２の摺動部と、
  前記第１の退避面と前記情報記録再生装置のハウジングの一方の面との間に配置し回動方向と垂直な方向での前記サスペンション・アームの振動の振幅を制限し、それによって前記サスペンション・アームと前記ハウジングの内面との衝突を防止する第１の振動制限部と、
  前記第４の退避面と前記情報記録再生装置のハウジングの他方の面との間に配置し回動方向と垂直な方向での前記サスペンション・アームの振動の振幅を制限し、それによって前記サスペンション・アームと前記ハウジングの内面との衝突を防止する第２の振動制限部と
  を備えるランプ。
【請求項５】
　さらに、
  前記第２の退避面と前記第３の退避面との間に配置し回動方向と垂直な方向での前記サスペンション・アームの振動の振幅を制限する第３の振動制限部を備える請求項４記載のランプ。
【請求項６】
　回転円盤型情報記録媒体と
　変換素子を装着したサスペンション・アームと
　該サスペンション・アームに連結した回動型アクチュエータ・アセンブリと
　前記情報記録媒体の近辺に取付け前記サスペンション・アームの先端部を摺動可能に接触させて前記サスペンション・アームを退避させるランプとを備え、
　前記ランプが請求項１〜請求項５のいずれかに記載のランプである情報記録再生装置。」
　
２．刊行物及びその記載
　これに対し、原査定の拒絶の理由に引用された刊行物である、特開平６−６０５７８号公報（以下、刊行物１という）及び特表平６−５０３４４０号公報（以下、刊行物２という）には下記の事項からなる発明が記載されている。
［刊行物１］
　刊行物１には、非動作時のスライダと磁気ディスクの接触、スライダ同士の接触が防止できる、高信頼性で低コストのハードディスク装置に関する発明について、以下の記載がある。
・「【０００５】
【発明が解決しようとする課題】しかしながら、上記従来の構成では、ソレノイド２８に供給する電流の制御等により、急激に鉄芯２９が突出状態から後退状態へ移行しないようにして、更にロードピン２６のばね荷重値も一定の範囲内にする為には機構系の精度が必要であり、また、ローディング機構が複雑になりコスト面、信頼生を確保することが困難であった。また、非動作時にもスライダ２３は磁気ディスク２５の面上にある為、外部からの振動、衝撃等によりスライダ２３と磁気ディスク２５が接触し、磁気ディスク２５に傷がつき粉塵が発生し、データの破壊やクラッシュを生じ高信頼性を確保出来ないという課題も有していた。
【０００６】
【課題を解決するための手段】本発明は上記課題を解決する為に、負圧型スライダを備えた磁気ヘッドと、負圧型スライダを保持するフレクシャと、フレクシャを保持しディスク上を移動するアームと、フレクシャを押圧する押圧部材と、アームをロックさせるロック機構と、負圧型スライダの損傷を防止する接触防止部材とを備える。
【０００７】
【作用】本発明では上記した構成により、アームをフレクシャが押圧部材に当接し押圧される位置まで移動させ、そこでアームのロック機構を作動させてアームをロックさせると、押圧されたフレクシャに保持された負圧型スライダは回転する磁気ディスク表面に接近し、負圧型スライダには磁気ディスクの回転によって生じる空気流により負圧が発生し、負圧型スライダはこの負圧の発生により更に磁気ディスク表面に接近し、負圧型スライダはこの負圧力と負圧型スライダを磁気ディスク表面から離そうとする正圧力と磁気ディスクの方向に曲がったフレクシャがもとの状態に戻ろうとする力のつりあった位置で止り、磁気ディスクへのデータの書き込み及び磁気ディスクからのデータの読みだしが可能となる。ハードディスク装置の停止時には負圧型スライダが磁気ディスク表面上から外れる位置までアームを移動させアームのロック機構を作動させてアームをロックする。このアームがロックされた位置では、磁気ディスクを挟み対向するように配置されたフレクシャ間に接触防止部材が設けられており、外部からの振動、衝撃等によるスライダ同士の接触を防ぐようになっている。」
・「【０００９】図１において１，２はスライダを保持するフレクシャで、板ばねに曲げ加工等を施して形成されている。３，４はフレクシャの先端の磁気ディスク側に取り付けられた浮上型磁気ヘッドで負圧型のスライダを備えている。５，６は浮上型磁気ヘッド３，４を浮上させる為の押圧部材、７は浮上型磁気ヘッド３，４が非動作状態で接触する事を防止する接触防止部材であり、それぞれ８の押圧部保持部材にねじ止めされている。押圧部保持部材８はベース（図示せず）に固定されている。９は磁気ディスクである。１０はアームでありボイスコイルモータ（図示せず）によって駆動され１１の回転軸を中心に磁気ディスク上を移動出来る用に構成されている。アーム１０の先端にはフレクシャ１、２がそれぞれねじ止めされている。１２は回転軸１１に対してフレクシャ１，２と反対側にアーム１０に取り付けられた扇型のコイルモールドであり、アーム１０をロックする時に使用する段差１２ａ，１２ｂが設けられている。１３，１４はソレノイド型のプランジャーであり、プランジャー１３により１５のロックピンが動作し、プランジャー１４により１６のロックピンが動作する様になっている。１７はゴム製のストッパーである。ストッパー１７はアームを磁気ディスク９の外周方向に移動させた時にフレクシャ１，２が押圧部保持部材８に接触する前にコイルモールド１２に当接する様に配置されている。
【００１０】以上のように構成された本実施例のハードディスク装置について、図２，図３，図４を用いて以下にその動作を説明する。
【００１１】ハードディスク装置の起動前の状態を図２（ａ）（ｂ）に示す。図２（ａ）（ｂ）はそれぞれ本実施例の上面図及び側面図である。ハードディスク装置が起動を始め磁気ディスク９が回転を開始する。磁気ディスク９の回転が安定したら、プランジャー１３でロックピン１５を引き込ませアーム１０を矢印Ａ方向へ移動させる。アーム１０が矢印Ａ方向に移動するとフレクシャ１，２は押圧部材５，６のそれぞれの傾斜部５ａ，６ａに当接し、フレクシャ１，２はそれぞれ磁気ディスク９の方向に押圧されていき、フレクシャ１，２が平行部５ｂ，６ｂの部分にくると浮上型磁気ヘッド３，４は磁気ディスク９の表面に接近し、図３（ａ）（ｂ）に示す様にコイルモールド１２の段差１２ｂにロックピン１６が当接しアーム１０の移動が止まる事になる。図３（ａ）（ｂ）はそれぞれ本実施例の上面図及び側面図である。磁気ディスク９の表面に接近した浮上型磁気ヘッド３，４は負圧型スライダを備えている為、磁気ディスク９の回転によって生じる空気流により負圧力が働き、更に磁気ディスク９の表面に接近する事になる。浮上型磁気ヘッド３，４はこの負圧力と浮上型磁気ヘッド３，４を磁気ディスク９の表面から離そうとする正圧力と磁気ディスク９の方向に押圧され曲げられたフレクシャ１，２がもとの状態に戻ろうとする力のつりあった位置で止まりデータの記録再生が可能なローディング状態となる。この状態を図４（ａ）（ｂ）に示す。図４（ａ）（ｂ）はそれぞれ本実施例の上面図及び側面図である。浮上型磁気ヘッド３，４のローディングが完了したらプランジャー１４でロックピン１６を引き込ませアーム１０が磁気ディスク９上を移動出来るようにする。次にハードディスク装置の停止時の動作について説明する。アーム１０を前記の浮上型磁気ヘッド３，４のローディング位置に移動させ一旦ここでアーム１０を止めて、プランジャー１４でロックピン１６を押し出しプランジャー１３でロックピン１５を押し出す。次にコイルモールド１２がストッパー１７に当接するまでアーム１０を磁気ディスク９の外周方向に移動させると、浮上型磁気ヘッド３，４は磁気ディスク９の表面から引き離されアンローディング状態となる。この時に接触防止部材７によって、アンロード時に板バネで構成させれたフレクシャ１，２が振動する事による浮上型磁気ヘッド３と浮上型磁気ヘッド４の衝突は無い。コイルモールド１２がストッパー１７に当接するとロックピン１５がコイルモールド１２の段差１２ａに入り込みアーム１０はロックされる事になる。
【００１２】以上のように本実施例によれば、負圧型スライダを備えた浮上型磁気ヘッド３，４を押圧部材を用いてアーム１０の移動によりローディングさせ、またアーム１０を磁気ディスク９の外周方向に移動させ浮上型磁気ヘッド３，４を磁気ディスク９の表面から引き離しアンローディングさせる様にしたことにより浮上型磁気ヘッド３，４は磁気ディスク９の表面に接触する事なくローディング状態及びアンローディング状態に移る事が出来る。更に図２（ａ）（ｂ）に示す様にハードディスク装置の非動作時にはフレクシャ１とフレクシャ２の間に設けられた接触防止部材７により外部からの振動、衝撃等による浮上型磁気ヘッド３と浮上型磁気ヘッド４の接触を防ぐ事が出来る。
【００１３】
【発明の効果】本発明は、負圧型スライダを備えた浮上型磁気ヘッドが先端に取り付けられたフレクシャを押圧部材を用いてアームの移動により押圧し、浮上型磁気ヘッドを磁気ディスク表面に接近させる事により浮上型磁気ヘッドをローディング状態にして、またアームを磁気ディスクの外周方向に移動させ浮上型磁気ヘッドを磁気ディスクの表面から引き離しアンローディングさせる様にしたことにより、ロードアンロード機構を簡単な機構により実現でき、更に非動作時には、負圧型スライダは磁気ディスク面上には無く、また磁気ディスクを挟む様に配置された二つフレクシャの間に接触防止部材を設けた事により、ハードディスク装置の非動作時における外部からの振動、衝撃等による、負圧型スライダと磁気ディスクの接触、負圧型スライダ同士の接触を防ぐ事が出来、高信頼性で低コストのハードディスク装置を実現出来るものである。」
　以上の記載を、各図面を参照して総合すると、刊行物１には、結局、以下のとおりの発明が記載されているものと認める。
「データを記憶する磁気ディスクと、磁気ディスクを挟み、対向するように配置され、磁気ディスク上を移動する一対のアームと、
　一対のアームのそれぞれに取り付けられた一対のフレクシャと、
　一対のフレクシャのそれぞれの先方の磁気ディスク側に取り付けられた一対の負圧型スライダと、
　一対の負圧型スライダのそれぞれに取り付けられた一対の磁気ヘッドとを備えたハードディスク装置であって、
　磁気ディスクを挟むように配置され、磁気ディスク表面方向に向かって傾斜した傾斜部と、傾斜部に連なる平行部とを備えた一対の押圧部材を備えると共に、
　一対のフレクシャの間に配置され、磁気ディスク面の外で一対のフレクシャを離間させる接触防止部材を備え、
　動作時には、フレクシャを保持した一対のアームが移動することによって、それぞれのフレクシャがそれぞれの押圧部材の傾斜部に当接して磁気ディスクの表面方向に押圧され、それぞれの押圧部材の平行部の位置で保持されることによって、それぞれのフレクシャに保持された負圧型スライダを磁気ディスクの表面に接近させ、
　非動作持には、接触防止部材によって、磁気ディスク面の外でフレクシャ同士の接触を防止するようにしたハードディスク装置。」
［刊行物２］
　刊行物２には、硬質ディスクを利用した情報記録の分野に関し、特に回転する磁気媒体の表面上を移動して、ダイナミックに読み出し／書き込み磁気記録要素をローディング及びアンローディングするための装置に関する発明について、以下の記載がある。
［発明の概要の項］に
・本発明の目的が、第１に、ヘッドスライダが回転中のディスクにロードされるときに、ヘッドスライダにロールを与えるダイナミックヘッドローディング構造を含む装置を提供すること、第２に、ダイナミックヘッドローディング構造を制御し、ヘッドスライダに与えられたロールの量を調節可能とする方法を提供すること、第３に、ロードビームがディスクの表面から持ち上げられるとき、ロードビームにトルクを与えない、ダイナミックヘッドローディング構造を提供すること、第４に、ディスク表面の損傷を防止するために、回転形アクチュエータをカムアセンブリの後方から、カムアセンブリとの機能的な関係にロードさせることができる、回転形アクチュエータのためのダイナミックヘッドローディング構造を提供すること、第５に、複雑ではなく、入手可能な構成要素から構成できる、ダイナミックローディング構造を提供すること、第６に、磁気ヘッドがディスクの表面からアンロードされているときに、硬質ディスクのドライブ装置の磁気ヘッドを保護する手段を提供することにある旨
［第９図及び第１０図についての説明部分（第８頁左上欄〜同頁右下欄］に
・カムアセンブリ１４は、突出部分１５ａ、１５ｃ、谷部分１５ｂ、傾斜部分１５ｄを有し、組立時の最初の据え付け位置が第９図の一番左の部分であって、ヘッドジンバルアセンブリ９が反時計方向に回動したとき、リフトタブ１２の遊端１３は、突出部分１５ａの上を移動し、更に回動して、遊端１３が静止するカム表面１５ａが第９図での中央の位置であって、この位置がヘッドジンバルアセンブリ９の静止（アンロード）位置であり、ヘッドがディスク上にロードされる前に、ヘッドジンバルアセンブリ９が配置される場所である旨
・ドライブ装置の動作中に、硬質ディスクが回転速度を上げた後に、ヘッドジンバルアセンブリ９が反時計方向に回動し、遊端１３が、カム表面１５の突出部分１５ｃと下向き傾斜部分１５ｄの上を移動し、第９図及び第１０図の右側部分に示された位置まで移動して、スライダ１１がディスク２の表面に隣接する旨
・第１０図のように、上側及び下側のアクチュエータアームが利用されるときは、上側及び下側のヘッドジンバルアセンブリの中間に延在すると共に、ディスク２の平面に略平行な平面内に配置された保護部材２０（・・・）を含むことが望ましい旨
［第１１図の説明部分（第８頁右下欄後段〜第９頁左上欄中段）］に
・スライダがアンロード位置にあるときに、保護部材２０がスライダ間の衝突を防止する旨
・保護部材２０は、カムアセンブリ１４の一部としてカムアセンブリと同じ材料によって構成される旨、もし、分離した部材として保護部材が利用されるとき、保護部材は柔軟な合成樹脂で構成されることが望ましい旨
　
３．対比・判断
　本願請求項１及び４に係る各発明と刊行物１記載の発明とを対比する。
　刊行物１記載の発明において、フレクシャを含むアーム、及びフレクシャが当接する傾斜部を有する押圧部材が、それぞれ、本願請求項１及び４に係る各発明のサスペンション・アーム、及びランプに相当することは明らかである。
　刊行物１記載の発明について、刊行物１の図２（ａ）（ｂ）で、ハードディスク装置の起動前の状態、即ち非動作時のアーム１０の位置が示されている。　押圧部材５，６の押圧部保持部材８近くの位置において、磁気ヘッド３，４が押圧部材５，６側に位置しているので、押圧部材５，６における押圧部保持部材８近くの水平な平面部即ち、刊行物１記載の発明における押圧部材の磁気ディスク表面側の面の一部が、本願請求項１及び４に係る各発明の退避面に相当するものとみることができる。
　そして、刊行物１記載の発明において、押圧部材は、ハードディスク装置が起動を始めて、磁気ディスクの回転安定後、アームが移動することによってフレクシャをその傾斜部で押圧して、磁気ヘッドを磁気ディスクの表面に接近させるようにその配置が考慮されたものである。
　又、刊行物１記載の発明では、ハードディスク装置のハウジングについての記載はないが、ハウジングは、図２（ａ）で、紙面手前側及び奥側、図２（ｂ）で、押圧部材５の上方及び押圧部材６の下方に位置することは明らかである。
　とすると、刊行物１記載の発明では、本願請求項１及び４に係る各発明のサスペンションアームに相当するフレクシャを含むアームとハウジングの間に、本願請求項１及び４に係る各発明の退避面に相当する面を有する押圧部材が位置することになり、刊行物１記載の発明では、本願請求項１及び４に係る各発明が解決しようとする退避位置におけるサスペンション・アームとハウジング内面との衝突の防止という技術的課題は生じることはあり得ないこととなり、刊行物１記載の発明では、本願請求項１及び４に係る各発明が備える振動制限部を退避面とハウジングの内面との所定の配置関係において備えようとすること自体想定することは困難である。
　又、刊行物２に記載された発明も、カムアッセンブリのカム表面の面構成が本願請求項１及び４に係る各発明のランプと類似するものの、ハウジング内面とサスペンション・アームとの衝突について考慮していないことは上記記載から明らかである。
　結局、上記各刊行物記載のものは、いずれも、スライダの非動作位置、アンロード位置において、スライダ同士又はスライダとディスクとの衝突を防止しようとするものであって、変換素子を装着したサスペンション・アームがランプの退避面上にあるとき、サスペンション・アームと情報記録再生装置のハウジングの内面との衝突を防止しようとする本願請求項１及び４に係る各発明とは、解決しようとする技術的課題において相違するものである。
　しかも、上記各刊行物のいずれにも、本願請求項１及び４に係る各発明が採用した、サスペンション・アームを退避させるランプの退避面と情報記録再生装置のハウジングの内面との間に配置し回動方向と垂直な方向でのサスペンション・アームの振動の振幅を制限し、それによってサスペンション・アームとハウジングの内面との衝突を防止する振動制限部を備える点は、これを示唆する記載もなく、又各刊行物に記載された発明及び事項をいかように組合わせても導出することは困難である。
　したがって、本願請求項１及び４に係る各発明はもとより、これらの請求項を引用する請求項２、３、５及び６に係る各発明は、いずれも、上記各刊行物に記載された発明から容易に発明し得たとすることはできない。
　
４．むすび
　以上のとおりであるから、本願の請求項１乃至６に係る発明は原査定の理由によっては拒絶することができない。
　また、他に本願を拒絶すべき理由を発見しない。
　よって、結論のとおり審決する。